【事件の表示】
　特許第３１７７８８４号「配線器具設置装置及び保持プレート」の請求項１、２に係る特許に対する特許異議の申立てについて、次のとおり決定する。
【結　論】
　訂正を認める。
　特許第３１７７８８４号の請求項１ないし２に係る特許を維持する。
【理　由】
１．手続の経緯
　本件特許第３１７７８８４号発明は、平成８年１１月１４日（優先権主張：平成８年２月２９日、日本）に特許出願され、平成１３年４月１３日にその特許の設定登録がなされ、その後中嶋進より特許異議の申立がなされ、取消理由通知がなされ、その指定期間内である平成１４年８月１２日に訂正請求がなされたものである。
　
２．訂正の適否についての判断
２．１　訂正事項
　特許権者が求めている訂正の内容は以下のとおりである。
(1）訂正事項ａ
　特許請求の範囲の請求項１の記載
「【請求項１】  建物壁に形成された配線器具設置開口に配線器具を設置する配線器具設置装置であって、配線器具と、前記開口を閉塞すべく該開口周縁に密接する鍔部と、配線器具を保持する保持部と、保持された配線器具の前面を壁表に臨ませる取付孔とを有する保持枠と、前記保持枠の前面に取付けられ、保持された配線器具を壁表に臨ませる透孔を有する化粧カバーとを備えた保持プレート部材と、前記保持枠と前記化粧カバーとの間に介在するシール部材とからなり、前記シール部材は、前面を壁表に臨まされた配線器具と前記透孔周縁との隙間からの空気流通を遮断すべく、前記保持枠の鍔部前面と化粧カバーとで挟持されるとともに、前記保持部に保持された配線器具の側面全周と密接することを特徴とする配線器具設置装置。」を
「【請求項１】  建物壁に形成された配線器具設置開口に配線器具を設置する配線器具設置装置であって、配線器具と、前記開口を閉塞すべく該開口周縁に密接する鍔部と、配線器具を保持する保持部と、保持された配線器具の前面を壁表に臨ませる取付孔とを有する保持枠と、前記保持枠の前面に取付けられ、保持された配線器具を壁表に臨ませる透孔を有する化粧カバーとを備えた保持プレート部材と、前記保持枠と前記化粧カバーとの間に介在するシール部材とからなり、前記保持枠の表面及び前記化粧カバーの裏面の少なくとも一方に、前記シール部材を押圧するための突条が前記保持枠の取付孔を囲うように形成され、前記シール部材は、前面を壁表に臨まされた配線器具と前記透孔周縁との隙間からの空気流通を遮断すべく、前記保持枠の鍔部前面と化粧カバーとで挟持され、前記突条によって押圧されるとともに、前記保持部に保持された配線器具の側面全周と密接することを特徴とする配線器具設置装置。」と訂正する。
(2）訂正事項ｂ
　特許請求の範囲の請求項２の記載
「【請求項２】  建物壁に形成された配線器具設置開口を閉塞すべく該開口周縁に密接する鍔部と、配線器具を保持する保持部と、保持された配線器具の前面を壁表に臨ませる取付孔とを有する保持枠と、前記保持枠の前面に取付けられ、保持された配線器具を壁表に臨ませる透孔を有する化粧カバーとを備えた保持プレート部材と、前記保持枠と前記化粧カバーとの間に介在するシール部材とからなり、前記シール部材は、前面を壁表に臨まされた配線器具と前記透孔周縁との隙間からの空気流通を遮断すべく、前記保持枠の鍔部前面と化粧カバーとで挟持されるとともに、前記保持部に保持された配線器具の側面全周と密接することを特徴とする保持プレート。」を
「【請求項２】  建物壁に形成された配線器具設置開口を閉塞すべく該開口周縁に密接する鍔部と、配線器具を保持する保持部と、保持された配線器具の前面を壁表に臨ませる取付孔とを有する保持枠と、前記保持枠の前面に取付けられ、保持された配線器具を壁表に臨ませる透孔を有する化粧カバーとを備えた保持プレート部材と、前記保持枠と前記化粧カバーとの間に介在するシール部材とからなり、前記保持枠の表面及び前記化粧カバーの裏面の少なくとも一方に、前記シール部材を押圧するための突条が前記保持枠の取付孔を囲うように形成され、前記シール部材は、前面を壁表に臨まされた配線器具と前記透孔周縁との隙間からの空気流通を遮断すべく、前記保持枠の鍔部前面と化粧カバーとで挟持され、前記突条によって押圧されるとともに、前記保持部に保持された配線器具の側面全周と密接することを特徴とする保持プレート。」と訂正する。
(3）訂正事項ｃ
　特許明細書の段落【０００７】の記載中（特許公報第２頁第４欄第２７〜３１行）に「前記保持枠と前記化粧カバーとの間に介在するシール部材とからなり、前記シール部材は、前面を壁表に臨まされた配線器具と前記透孔周縁との隙間からの空気流通を遮断すべく、前記保持枠の鍔部前面と化粧カバーとで挟持されるとともに、」とあるのを、
「前記保持枠と前記化粧カバーとの間に介在するシール部材とからなり、前記保持枠の表面及び前記化粧カバーの裏面の少なくとも一方に、シール部材を押圧するための突条が前記保持枠の取付孔を囲うように形成され、前記シール部材は、前面を壁表に臨まされた配線器具と前記透孔周縁との隙間からの空気流通を遮断すべく、前記保持枠の鍔部前面と化粧カバーとで挟持され、前記突条によって押圧されるとともに、」と訂正する。
(4）訂正事項ｄ
　特許明細書の段落【０００８】の記載中（特許公報第２頁第４欄第３９〜４３行）に「前記保持枠と前記化粧カバーとの間に介在するシール部材とからなり、前記シール部材は、前面を壁表に臨まされた配線器具と前記透孔周縁との隙間からの空気流通を遮断すべく、前記保持枠の鍔部前面と化粧カバーとで挟持されるとともに、」とあるのを、
「前記保持枠と前記化粧カバーとの間に介在するシール部材とからなり、前記保持枠の表面及び前記化粧カバーの裏面の少なくとも一方に、シール部材を押圧するための突条が前記保持枠の取付孔を囲うように形成され、前記シール部材は、前面を壁表に臨まされた配線器具と前記透孔周縁との隙間からの空気流通を遮断すべく、前記保持枠の鍔部前面と化粧カバーとで挟持され、前記突条によって押圧されるとともに、」と訂正する。
　
２．２　訂正の目的の適否、新規事項の有無、及び特許請求の範囲の拡張・変更の存否
　訂正事項ａおよびｂはいずれも、保持枠および化粧カバーの構成に「保持枠の表面及び化粧カバーの裏面の少なくとも一方に、シール部材を押圧するための突条が保持枠の取付孔を囲うように形成され」る構成を付加するとともに、シール部材が「前記突条によって押圧される」構成を付加することによって、保持枠、化粧カバー、およびシール部材に関する構成を限定するものであるから、特許法第１２０条の４第２項但し書き第１号に規定する特許請求の範囲の減縮を目的とするものである。
　訂正事項ｃおよびｄは、訂正された特許請求の範囲の記載に整合するように、特許明細書の記載を訂正するものであり、特許法第１２０条の４第２項但し書き第３号に規定する明りょうでない記載の釈明を目的とするものである。
　また、前記訂正事項は、特許明細書の段落【００１８】ないし【００２１】（特許公報第４頁第７欄第１４〜４０行）の記載、および図６ないし図８の記載に基づくものである。
　したがって、前記訂正事項は、いずれも特許明細書に記載された事項の範囲内のものであり、新規事項の追加に該当せず、実質的に特許請求の範囲を拡張しまたは変更するものではない。
　
２．３　むすび
　以上のとおりであるから、前記訂正は、特許法第１２０条の４第２項および同条第３項において準用する特許法第１２６条第２項から第４項までの規定に適合するので、当該訂正を認める。
　
３．特許異議の申立についての判断
３．１　申立の理由の概要
　申立人中嶋進は、本件請求項１および２に係る特許発明に対して、証拠として甲第１号証（特開平６−９８４４０号公報）、甲第２号証（特開平１−２６８４１６号公報）、および甲第３号証（特開平１−２６８４１７号公報）を提示し、本件特許は特許法第２９条第２項の規定に違反してなされたものであるから、特許法第１１３条第２号に該当し、取り消されるべきものである旨主張している。
　
３．２　本件発明
　前記訂正請求が認められたので、本件請求項１および２に係る発明は、訂正明細書の特許請求の範囲の請求項１および２に記載された次の事項によって特定されるとおりのものである。
「【請求項１】（「訂正事項ａ」参照）
　【請求項２】（「訂正事項ｂ」参照）」
　
３．３　甲号各証の記載事項
　申立人が提示した甲号各証、および当審で通知した取消理由で引用した刊行物には、それぞれ以下の事項が記載されている。
(1）刊行物１（甲第１号証：特開平６−９８４４０号公報）
(1a）「電気接続部品を保持し壁面に形成された開口部内に固定されるサポートと、前記電気接続部品の前面が嵌合される窓孔が形成された化粧板とを設け、前記壁面の前記開口部の周囲に外周縁が当接され内周側で前記窓孔の開口縁を覆うシートを前記サポートと前記化粧板との間に装着したことを特徴とする配線器具。」（特許請求の範囲、第２頁左欄第２〜７行）、
(1b）「本発明は、電気接続部品の前面と化粧板の窓孔の周縁との間の隙間、壁面に形成した開口部と化粧板の周縁との隙間をシートで閉塞することにより、壁面の内部と室内との間の空気流を遮断することができ、」（第２頁左欄末行〜右欄第３行）、
(1c）「図１において、１は室内の壁面で、この壁面１に形成された開口部２の内方には箱体３が設けられ、この箱体３には外部から電線４が導入されている。前記壁面１の表側には電気接続部品の一例としてのスイッチ５を保持する金属製のサポート６が設けられている。」（第２頁右欄第１０〜１４行）、
(1d）「すなわち、スイッチカバー９が嵌合される窓孔１１を有して前記サポート６に取り付けられた化粧板１２が設けられている。しかして、この化粧板１２とサポート６との間には、前記壁面１の前記開口部２の周縁に外周縁が当接され内周側で前記窓孔１１の開口縁を覆うシート１３が設けられている。」（第２頁右欄第２２〜２７行）、
(1e）「図２に示すように、前記サポート６には、複数個分のスイッチ５の本体７を位置させるための矩形孔６ａと、」（第２頁右欄第２８〜３０行）、
がそれぞれ図面と共に記載されている。
　これらの記載から刊行物１には
「壁面に形成された開口部に電気接続部品を設置する配線器具であって、電気接続部品と、電気接続部品を保持する保持部と保持された電気接続部品の前面を壁表に臨ませる取付孔とを有するサポートと、前記サポートの前面に取付けられ保持された電気接続部品を壁表に臨ませる窓孔を有する化粧板と、を備えた部材と、
前記サポートと前記化粧板との間に介在するシートとからなり、前記シートは、電気接続部品の前面と化粧板の窓孔の周縁との間の隙間からの空気流を遮断すべく、前記サポートの前面と化粧板とで挟持される配線器具。」が記載されているものと認められる。
　
(2）刊行物２（甲第２号証：特開平１−２６８４１６号公報)、および
(3）刊行物３（甲第３号証：特開平１−２６８４１７号公報）
　いずれにも、壁面の開口を閉塞すべく前記開口周縁に密接する鍔部を有するプレート枠を備えた配線器具設置装置が記載されており、さらに、耐火パネルをプレート枠前面と化粧プレートとで挟持される個所に設けることが示されている。
　
(4）刊行物４（特開平１−１６０３０７号公報）
　壁面の開口を閉塞すべく前記開口周縁に密接する鍔部を有するプレート枠を備えた配線器具設置装置が記載されており、さらに、防雨カバーをプレート枠前面と化粧プレートとで挟持される個所に設けることが示されている。
　
３．４　対比・判断
(1）本件請求項１に係る発明（以下、「本件発明１」という。）と刊行物１に記載の発明（以下、「引用発明１」という。）とを対比すると、引用発明１における「壁面」、「開口部」、「電気接続部品」、「配線器具」、「サポート」、「化粧板」、「部材」、「シート」、および「配線器具」が、それぞれ本件発明１における「建物壁」、「配線器具設置開口」、「配線器具」、「配線器具設置装置」、「保持枠」、「化粧カバー」、「保持プレート部材」、「シール」、および「配線器具設置装置」に相当するから、両者は、以下の一致点および相違点を有するものと認められる。
一致点：「建物壁に形成された配線器具設置開口に配線器具を設置する配線器具設置装置であって、配線器具と、配線器具を保持する保持部と保持された配線器具の前面を壁表に臨ませる取付孔とを有する保持枠と、前記保持枠の前面に取付けられ保持された配線器具を壁表に臨ませる透孔を有する化粧カバーとを備えた保持プレート部材と、前記保持枠と前記化粧カバーとの間に介在するシール部材とからなり、前記シール部材は、前面を壁表に臨まされた配線器具と前記透孔の周縁との隙間からの空気流通を遮断すべく、前記保持枠の前面と化粧カバーとで挟持される配線器具設置装置。」
相違点(a）：保持枠が、本件発明１では「開口を閉塞すべく該開口周縁に密接する鍔部」を有するのに対し、引用発明１ではそのような鍔部を有していない点。
相違点(b）：本件発明１が、「前記保持枠の表面及び前記化粧カバーの裏面の少なくとも一方に、前記シール部材を押圧するための突条が前記保持枠の取付孔を囲うように形成され、前記シール部材が前記突条によって押圧される」構成を有するのに対し、引用発明１では、そのような突条に関する構成を有していない点。
　
　前記相違点について検討する。
　配線器具設置開口周縁に密接する鍔部を有する保持枠は、刊行物２〜４に記載されており、さらに、保持枠と化粧カバーとの間に耐火パネルまたは防雨カバーを挟持することが記載されている。
　ところが、前記保持枠の表面または前記化粧カバーの裏面の少なくとも一方に、その間に挟持されるシール部材を押圧するための突条を設けることに関しては、いずれにも記載も示唆もされていない。
　
　そして、本件発明は、相違点(b) に係る突条に関する構成を有することによって、その他の構成と相俟って明細書に記載の「表面の凹凸や平坦度がでていないことなどにより、空気がシール部材１６と保持枠１ａの鍔部３との間、シール部材１６と化粧カバー１ｂとの間を通って漏出するのを確実に防止することができる。」（段落【００１９】）という効果を奏するものと認められる。
　それ故、本件発明１は、刊行物１ないし４に記載された発明に基いて当業者が容易に発明できたものとすることはできない。
　
(2）請求項２に係る発明について
　本件発明１が配線器具と保持プレートとを組み合わせたものであるのに対し、請求項２に係る発明は、本件発明１のうち保持プレートの部分に関する発明に相当するものであって、特徴とするところは本件発明１と同じである。
　それ故、請求項２に係る発明についても、本件発明１に対する判断で述べたと同様の理由によって、刊行物１ないし４に記載された発明に基いて当業者が容易に発明できたものとすることはできない。
　
３．６　むすび
　以上のとおりであるから、特許異議申立の理由によっては本件請求項１ないし２に係る発明についての特許を取り消すことはできない。
　また、他に本件請求項１ないし２に係る発明についての特許を取り消すべき理由を発見しない。
　よって、結論のとおり決定する。
【異議決定日】
平成１４年１０月３０日（２００２．１０．３０）
【訂正の要旨】
訂正の要旨
　特許第３１７７８８４号の特許明細書を本件訂正請求書に添付された訂正明細書のとおりに訂正する。すなわち、
（１）　特許請求の範囲の請求項１の記載を
「【請求項１】　建物壁に形成された配線器具設置開口に配線器具を設置する配線器具設置装置であって、配線器具と、前記開口を閉塞すべく該開口周縁に密接する鍔部と、配線器具を保持する保持部と、保持された配線器具の前面を壁表に臨ませる取付孔とを有する保持枠と、前記保持枠の前面に取付けられ、保持された配線器具を壁表に臨ませる透孔を有する化粧カバーとを備えた保持プレート部材と、前記保持枠と前記化粧カバーとの間に介在するシール部材とからなり、前記保持枠の表面及び前記化粧カバーの裏面の少なくとも一方に、前記シール部材を押圧するための突条が前記保持枠の取付孔を囲うように形成され、前記シール部材は、前面を壁表に臨まされた配線器具と前記透孔周縁との隙間からの空気流通を遮断すべく、前記保持枠の鍔部前面と化粧カバーとで挟持され、前記突条によって押圧されるとともに、前記保持部に保持された配線器具の側面全周と密接することを特徴とする配線器具設置装置。」と訂正する。
（２）　特許請求の範囲の請求項２の記載を
「【請求項２】　建物壁に形成された配線器具設置開口を閉塞すべく該開口周縁に密接する鍔部と、配線器具を保持する保持部と、保持された配線器具の前面を壁表に臨ませる取付孔とを有する保持枠と、前記保持枠の前面に取付けられ、保持された配線器具を壁表に臨ませる透孔を有する化粧カバーとを備えた保持プレート部材と、前記保持枠と前記化粧カバーとの間に介在するシール部材とからなり、前記保持枠の表面及び前記化粧カバーの裏面の少なくとも一方に、前記シール部材を押圧するための突条が前記保持枠の取付孔を囲うように形成され、前記シール部材は、前面を壁表に臨まされた配線器具と前記透孔周縁との隙間からの空気流通を遮断すべく、前記保持枠の鍔部前面と化粧カバーとで挟持され、前記突条によって押圧されるとともに、前記保持部に保持された配線器具の側面全周と密接することを特徴とする保持プレート。」と訂正する。
（３）　特許明細書の段落【０００７】の記載中において、「前記保持枠と前記化粧カバーとの間に介在するシール部材とからなり、前記シール部材は、前面を壁表に臨まされた配線器具と前記透孔周縁との隙間からの空気流通を遮断すべく、前記保持枠の鍔部前面と化粧カバーとで挟持されるとともに、」の記載を、
「前記保持枠と前記化粧カバーとの間に介在するシール部材とからなり、前記保持枠の表面及び前記化粧カバーの裏面の少なくとも一方に、シール部材を押圧するための突条が前記保持枠の取付孔を囲うように形成され、前記シール部材は、前面を壁表に臨まされた配線器具と前記透孔周縁との隙間からの空気流通を遮断すべく、前記保持枠の鍔部前面と化粧カバーとで挟持され、前記突条によって押圧されるとともに、」と訂正する。
（４）　特許明細書の段落【０００８】の記載中において、「前記保持枠と前記化粧カバーとの間に介在するシール部材とからなり、前記シール部材は、前面を壁表に臨まされた配線器具と前記透孔周縁との隙間からの空気流通を遮断すべく、前記保持枠の鍔部前面と化粧カバーとで挟持されるとともに、」の記載を、
「前記保持枠と前記化粧カバーとの間に介在するシール部材とからなり、前記保持枠の表面及び前記化粧カバーの裏面の少なくとも一方に、シール部材を押圧するための突条が前記保持枠の取付孔を囲うように形成され、前記シール部材は、前面を壁表に臨まされた配線器具と前記透孔周縁との隙間からの空気流通を遮断すべく、前記保持枠の鍔部前面と化粧カバーとで挟持され、前記突条によって押圧されるとともに、」と訂正する。
（５４）【発明の名称】
配線器具設置装置及び保持プレート
（５７）【特許請求の範囲】
　【請求項１】　建物壁に形成された配線器具設置開口に配線器具を設置する配線器具設置装置であって、
　配線器具と、
　前記開口を閉塞すべく該開口周縁に密接する鍔部と、配線器具を保持する保持部と、保持された配線器具の前面を壁表に臨ませる取付孔とを有する保持枠と、前記保持枠の前面に取付けられ、保持された配線器具を壁表に臨ませる透孔を有する化粧カバーとを備えた保持プレート部材と、
　前記保持枠と前記化粧カバーとの間に介在するシール部材とからなり、
　
前記保持枠の表面及び前記化粧カバーの裏面の少なくとも一方に、前記シール部材を押圧するための突条が前記保持枠の取付孔を囲うように形成され、
　前記シール部材は、前面を壁表に臨まされた配線器具と前記透孔周縁との隙間からの空気流通を遮断すべく、前記保持枠の鍔部前面と化粧カバーとで挟持され
、前記突条によって押圧され
　【請求項２】　建物壁に形成された配線器具設置開口を閉塞すべく該開口周縁に密接する鍔部と、配線器具を保持する保持部と、保持された配線器具の前面を壁表に臨ませる取付孔とを有する保持枠と、前記保持枠の前面に取付けられ、保持された配線器具を壁表に臨ませる透孔を有する化粧カバーとを備えた保持プレート部材と、
　前記保持枠と前記化粧カバーとの間に介在するシール部材とからなり、
　
前記保持枠の表面及び前記化粧カバーの裏面の少なくとも一方に、前記シール部材を押圧するための突条が前記保持枠の取付孔を囲うように形成され、
　前記シール部材は、前面を壁表に臨まされた配線器具と前記透孔周縁との隙間からの空気流通を遮断すべく、前記保持枠の鍔部前面と化粧カバーとで挟持され
、前記突条によって押圧され
【発明の詳細な説明】
　【０００１】
　【発明の属する技術分野】
　本発明は、ベニヤ、石膏ボード等の隠ぺい壁に設けられた壁穴やコンクリート壁内に埋設された配線ボックスの開口等の配線器具設置開口に取付けられて、スイッチ、コンセント等の配線器具を取付けるために使用される配線器具設置装置、保持プレート、保持プレート部材、配線器具及びシール部材に関するもので、特に、配線器具と配線器具が臨み込む透孔の周縁との隙間を密閉して空気の流出入を防止する配線器具設置装置及び保持プレートに関するものである。
　【０００２】
　【従来の技術】
　近年、電子工業、精密工業、病院等では、塵埃の混入をきらうクリーンルームが建設されており、これに伴って、スイッチ、コンセント等の配線器具を保持プレートを介して壁等に取付けるボックスには、配線器具の取付部分からの塵埃等の流入を防止するために、防塵パッキンが使用されている。例えば、実開昭６１−８８４１７号公報にこの種の技術が開示されている。
　【０００３】
　図１１は従来の配線器具取付部を示す分解斜視図である。
　図において、壁１４の裏面側には配線用ボックス３１が配設され、その前面には開口部３２ａを有する塗代カバー３２が取付ねじ３３を介して取付けられている。一方、壁１４の表面側には防塵パッキン３４が取付けられており、この防塵パッキン３４は壁１４の表面と当接して壁穴１４ａを閉塞する鍔部３５と、前記塗代カバー３２の開口部３２ａに挿通して配線用ボックス３１内に収容される収容部３６と、前記収容部３６の底面に形成されて電線をシール状態で引出す引出部３７とで構成されている。そして、この防塵パッキン３４はゴム質で一体に形成され、全体の剛性を高めるために、鍔部３５の周縁や中央開口の周縁等の所要箇所に金属プレートが嵌込まれている。前記防塵パッキン３４の鍔部３５には配線器具１１を保持した配線器具保持枠３８が取付けられ、更に、その前面側には取付ねじ３３を介して化粧カバー３９が取付けられ、その透孔４０から配線器具１１が前面に臨むようになっている。
　【０００４】
　このように、防塵パッキン３４の設けられた配線器具取付部においては、配線器具１１に接続された電線は、防塵パッキン３４の引出部３７から配線用ボックス３１内に引出され、更に、電線管４１内に挿通される。したがって、壁１４の内外の空間が防塵パッキン３４によって遮断され、電線が挿通する引出部３７はシール構造となっているため、空気の流出入が遮断されて外部の塵埃の室内への混入が防止される。
　【０００５】
　【発明が解決しようとする課題】
　ところで、壁１４の内外の空気の流出入は配線器具１１と化粧カバー３９の透孔４０との隙間からの流出入が大半である。
　したがって、これらの流出入量の多い隙間を局所的に密閉するだけで従来例と同等の高い防塵効果を得ることも可能であるとともに、室内の冷暖房効果を著しく高めることができ、寒冷地等においては、極めて有益なものとなる。
　このような場合、従来の防塵パッキン３４を一律に使用するとすれば、高価なものとなり、また、嵩ばるために取付けや運搬等が不便となる。更に、防塵パッキン３４は別部材として付設され、独立部品として取扱われるものであるため、部品管理も面倒である。
　一方、従来は、配線器具保持枠や化粧カバーについては何ら密閉手段は施されていなかった。
　【０００６】
　そこで、本発明は、簡易な構造で安価かつ簡単に取付けできて、配線器具取付部における隙間、特に、配線器具が表側に臨む透孔と前記配線器具との隙間からの室内外の空気の流出入を遮断し、もって、室内への塵埃の侵入を防止し、室内の冷暖房効果を高めることができる配線器具設置装置及び保持プレートの提供を課題とするものである。
　【０００７】
　【課題を解決するための手段】
　請求項１の発明に係る配線器具設置装置は、配線器具と、建物壁に形成された配線器具設置開口を閉塞すべく該開口周縁に密接する鍔部と、配線器具を保持する保持部と、保持された配線器具の前面を壁表に臨ませる取付孔とを有する保持枠と、前記保持枠の前面に取付けられ、保持された配線器具を壁表に臨ませる透孔を有する化粧カバーとを備えた保持プレート部材と、前記保持枠と前記化粧カバーとの間に介在するシール部材とからなり、
前記保持枠の表面及び前記化粧カバーの裏面の少なくとも一方に、前記シール部材を押圧するための突条が前記保持枠の取付孔を囲うように形成され、
、前記突条によって押圧され
　【０００８】
　請求項２の発明に係る保持プレートは、建物壁に形成された配線器具設置開口を閉塞すべく該開口周縁に密接する鍔部と、配線器具を保持する保持部と、保持された配線器具の前面を壁表に臨ませる取付孔とを有する保持枠と、前記保持枠の前面に取付けられ、保持された配線器具を壁表に臨ませる透孔を有する化粧カバーとを備えた保持プレート部材と、前記保持枠と前記化粧カバーとの間に介在するシール部材とからなり、
前記保持枠の表面及び前記化粧カバーの裏面の少なくとも一方に、前記シール部材を押圧するための突条が前記保持枠の取付孔を囲うように形成され、
　前記シール部材は、前面を壁表に臨まされた配線器具と前記透孔周縁との隙間からの空気流通を遮断すべく、前記保持枠の鍔部前面と化粧カバーとで挟持され
、前記突条によって押圧され
　【０００９】
　【発明の実施の形態】
　以下、本発明の実施例を図１乃至図５に基づいて説明する。
　図において、保持プレート部材１は、保持枠１ａと化粧カバー１ｂとを組付けてなるものである。まず、保持枠１ａは、配線器具１１を内部に収容すべく、所定長さの円筒状に形成された周壁部２と、その前面に設けられた略四角板状の鍔部３とが一体に形成されたものである。前記周壁部２は、前記鍔部３の反対側である底面側にケーブル１２を引出すためのケーブル引出孔４が設けられているとともに、長さ方向に連通する凹部形成された案内溝５を有しており、その案内溝５の内部には鍔部３の表側から挿通された螺子１３が収容できるようになっている。更に、前記鍔部３の中央部には取付けられた配線器具１１を壁１４の表側に臨ましめるべく四角形状に取付孔６が穿設されており、また、その取付孔６の左右縁部には配線器具１１の係止突起１１ａを係止して取付けるための係止孔、係止片等からなる保持部７が設けられている。螺子取付孔８には前記螺子１３が挿通される。
　【００１０】
　そして、前記案内溝５に挿通された螺子１３の先端部には挟持片１５が螺着されており、前記挟持片１５は少なくとも鍔部３と対向する側が鍔部３と平行面をなしている。なお、案内溝５は図１における右側周壁の先端が左側周壁の先端より僅かに底面側に突出しており、螺子１３を螺合したときに挟持片１５がそれに追随して回転するのを前記突出した部分によって阻止し、鍔部３側に螺進するようになっている。
　【００１１】
　このように形成された保持枠１ａは、周壁部２が壁１４内に埋込まれ、鍔部３が壁１４の表面側において壁面と当接するものであり、鍔部３と挟持片１５とによって壁１４を挟持し、それによって壁１４の壁穴１４ａに設置される構成となっている。なお、壁穴１４ａは請求項の配線器具設置開口に相当するものである。
更に、鍔部３には係止孔９が設けられている。
　一方、化粧カバー１ｂは、裏面に前記係止孔９と係止する係止突起が設けられており、保持枠１ａの鍔部３の表側に取付けられて壁１４の壁穴１４ａを覆うようになっている。なお、図２及び図４では前記化粧カバー１ｂは省略している。
　【００１２】
　シール部材１６は、鍔部３と化粧カバー１ｂとで挟持され、配線器具１１が臨み込む部分を除き、鍔部３の前面において、取付孔６の周縁を覆い、挿通孔１７の周縁が配線器具１１の側面全体と密接して配線器具１１と化粧カバー１ｂの透孔２０との隙間１８を密閉するためのものであり、ゴムシート等で形成され、必要に応じて接着剤等が併用される。ここで、図１乃至図３では、シール部材１６は鍔部３の前面の略全体を覆っているので、保持部７及び螺子取付孔８などの鍔部３の前面に設けられた透孔も覆われている。但し、シール部材１６は、図４及び図５のように、取付孔６の周縁部のみを覆ったものとすることもできる。
　【００１３】
　次に、このように構成された配線器具設置装置における室内外間の空気の流通について説明する。
　壁裏から壁表の室内側に流入しようとする空気は、鍔部３の前面と化粧カバー１ｂとで挟持されたシール部材１６が配線器具１１の側面に密接しているので、透孔２０の周縁と配線器具１１との隙間１８から配線器具１１の側面に沿って壁表に侵入することがない。また、壁裏から保持部７、螺子取付孔８等を通過して鍔部３の前面と化粧カバー１ｂとの間に流入しようとする空気は、シール部材１６が、図１乃至図３に示すように、鍔部３の略前面を覆っている場合、或いは、図４及び図５に示すように、取付孔６の周縁部のみを覆っているが、取付孔６の周縁部を囲うように挟持されている場合などにおいては、前者は保持部７或いは螺子取付孔８の開口部で、後者は挟持部で密閉されているので、更に化粧カバー１ｂとシール部材１６との間の面相互の隙間を通過して透孔２０の周縁と配線器具１１との隙間１８から室内側に洩出するのが防止される。そして、鍔部３の外周部からの洩れは鍔部３の外周部を覆っている化粧カバー１ｂによって遮断される。
　なお、以上は壁裏から壁表の室内側への空気の流れについて説明したが、逆の流れの場合、即ち、室内側の空気が配線器具設置装置から壁裏に流れる場合も当然に阻止される。
　【００１４】
　次に、保持プレート部材１を取付けるには、予め挟持片１５を周壁部２の底面において左側に倒して周壁部２の外周から外側に突出しない状態即ち壁穴１４ａの径内にある状態にしておいてから、保持プレート部材１の周壁部２を壁穴１４ａ内に挿入し、螺子１３を回転させる。すると、挟持片１５は螺子１３の螺合に追随して右側に起上がって周壁部２の外周面から突出し、僅かに突出した案内溝５の右側周壁でそれ以上の回動を阻止された状態、即ち、図１に示す状態となった後、螺子１３の螺合に伴って案内溝５の右側周壁で回動を阻止されて鍔部３側に螺進する。そこで、挟持片１５を壁裏に圧接させ、鍔部３と挟持片１５の平面部とで壁１４に挟持固定する。なお、壁１４への固定は挟持片１５を使用した挟持固定とすることなく、直接螺子１３を壁１４に螺着することによって鍔部３を固定するようにしてもよい。但し、壁１４が石膏ボードなどの軟質でもろい材質で形成されている場合には、螺子１３を直接螺着することは安定性に乏しく外れ易いので挟持固定するのが望ましい。
　【００１５】
　このように、本実施例の保持プレートは、鍔部３の前面に取付けられたシール部材１６が配線器具１１と化粧カバー１ｂの透孔２０との隙間１８を密閉するため、壁１４の表側の空間と裏側の空間との通気は遮断される。この結果、室外からの塵埃の流入が防止されるとともに、室内側からの冷暖気が室外に洩出するのが防止されて室内の冷暖房効果を高めることができ、室内の結露も防止できる。また、粉塵が侵入して配線器具取付部に蓄積し、電線との接触部分においてトラッキング現象による火災が発生するのを防止することもできる。
　【００１６】
　特に、本実施例によれば、シール部材１６が小さいゴムシートで形成されているので、安価に製造できるという効果が得られる。また、構造が簡易であり、嵩ばらないので、取付性がよく、運搬も楽に行なうことができる。
　【００１７】
　なお、前記シール部材１６は、挿通孔１７の周縁が配線器具１１の側面全体に密着し、鍔部３の前面を覆い、或いは、鍔部３と化粧カバー１ｂとで密着挟持されて、隙間１８等からの通気を遮断するものであるから、そのシール効果を高めるべくゴムシートで形成されている。但し、シール性が得られれば、発泡樹脂等他の材質のシート材で形成してもよく、或いは、接着剤を固化させて形成したものとしてもよい。なお、シール部材１６の逃がし孔１９には化粧カバー１ｂの裏面の係止突起が挿通される。
　【００１８】
　ところで、本実施例においては、図６及び図７に示すように、保持プレート部材１の保持枠１ａの鍔部３の表面にその周縁部に沿って全周に断面が三角形状、四角形状、半円形状等をなす小突起からなる突条２１を設けることもできる。
　【００１９】
　この実施例の場合には、化粧カバー１ｂが取付けられたときに、シール部材１６が前記突条２１によって押圧されるので、一層密閉性を高めることができる。したがって、シール部材１６と配線器具１１との隙間１８の他に、表面の凹凸や平坦度が出ていないことなどにより、空気がシール部材１６と保持枠１ａの鍔部３との間、シール部材１６と化粧カバー１ｂとの間を通って洩出するのを確実に防止することができる。また、保持枠１ａの周端部において化粧カバー１ｂの周端部のみで密閉した場合と比べて、保持枠１ａの周端部における密閉性を一層高めることができ、周端部からの空気の流出入をより確実に防止することもできる。
　【００２０】
　なお、図６及び図７は保持枠１ａの周縁部に突条２１を形成した場合を示すが、図８では、取付孔６の外側周縁部に沿ってこの取付孔６を囲うように保持枠１ａの表面に同様の突条２１を設けた場合を示す。この場合も、同様に密閉性を高めることができ、また、シール部材１６は小面積であるから、安価に製造することができる。
　【００２１】
　なお、前記突条２１は化粧カバー１ｂ側に設けてもよく、或いは、保持枠１ａ及び化粧カバー１ｂの双方に設けてもよい。
　【００２２】
　また、本実施例においては、シール部材１６に加えて、従来の防塵パッキンを併用すれば、クリーンルームにおいてより確実に防塵性を向上できる。
　そして、配線器具１１の電線との接続部をゲル状のシール部材で固め、更には、保持プレート部材１の他の孔についても同様にゲル状のシール部材等で密閉することによってシール効果を一層向上することもできる。
　なお、保持プレート部材１は、周壁部２を備えたものを示しているが、これに限られるものではなく、周壁部２が設けられていないものであってもよい。
　【００２３】
　次に、本実施例の別の保持プレートを図９に示す。
　図において、シール部材は鍔部３の前面のみでなく、鍔部３の裏面にも第２シール部材１６ａとして取付けられ、壁１４との間で密着挟持されたものである。したがって、壁１４の壁穴１４ａの周縁が第２シール部材１６ａによって密閉されるので、より防塵効果を高めることができる。
　【００２４】
　次に、本実施例の更に別の保持プレートを図１０に示す。
　図において、鍔部３の前面にはシール部材１６と対応した形状の所定深さの凹部３ａが形成されており、この部分にシール部材１６が嵌合して取付けられるようになっている。この場合には、シール部材１６は安定した状態で鍔部３に保持される。
　【００２５】
　なお、上記各実施例の保持プレート部材１とシール部材１６とによって、請求項の保持プレートを構成している。
　【００２６】
　ところで、上記各実施例においては、シール部材１６は保持プレート部材１に取付けているが、本発明を実施する場合には、保持プレート部材１及び配線器具１１の双方に設け、より密閉効果を高めることもできる。
　【００２７】
　また、本発明は、上記各実施例のような、壁に取付けられるものに限られず、コンクリート埋設のものにも同様に適用することができる。
　【００２８】
　なお、本発明においては、配線器具１１には、スイッチ、コンセントの他、調光器、アースなど各種の配線器具が含まれる。
　【００２９】
　【発明の効果】
　以上のように、本発明は、壁表に臨まされた配線器具と保持プレートの透孔周縁との隙間からの空気流通を遮断するシール部材を設けたものである。したがって、建物壁の表側の空間と裏側の空間との通気が遮断される結果、室外からの塵埃の流入を防止できるとともに、冷暖房効果を高めることができ、結露を防止することもできる。また、粉塵の侵入を防いで配線器具取付部においてトラッキング現象による火災の発生を防止することもできる。特に、本発明によれば、シール部材がゴムシートで形成されているので、安価に製造できるという効果が得られる。また、構造が簡易となり、嵩ばらないので、取付性がよく、運搬も楽であり、更に、シール部材は保持プレートとして一体に取付けられたものである場合は、部品管理が容易であるという効果も奏する。加えて、シール部材に従来の防塵パッキンを併用すれば、クリーンルームにおいて一層確実に防塵性を向上することもできる。
【図面の簡単な説明】
　【図１】
　本発明の実施例の配線器具設置装置を示す分解斜視図である。
　【図２】
　図１の保持枠及びシール部材を示す正面図である。
　【図３】
　図１の配線器具設置装置を示す一部破断側面図である。
　【図４】
　本発明の実施例の別の配線器具設置装置におけるシール部材を示す正面図である。
　【図５】
　本発明の実施例の別の配線器具設置装置を示す一部破断側面図である。
　【図６】
　本発明の実施例における別の保持枠を示す正面図である。
　【図７】
　図６の保持枠を示す一部破断側面図である。
　【図８】
　本発明の実施例における更に別の保持枠を示す正面図である。
　【図９】
　本発明の実施例の更に別の配線器具設置装置を示す一部破断側面図である。
　【図１０】
　本発明の実施例における配線器具設置装置の変形例を示す一部破断側面図である。
　【図１１】
　従来の配線器具取付部を示す分解斜視図である。
　【符号の説明】
　１　　　保持プレート部材
　１ａ　　保持枠
　１ｂ　　化粧カバー
　３　　　鍔部
　６　　　取付孔
　７　　　保持部
　１１　　配線器具
　１４　　壁
　１４ａ　壁穴
　１６　　シール部材
　１６ａ　第２シール部材
　１８　　隙間
　２０　　透孔
　２１　　突条